(57)【要約】【課題】  従来と比較して簡素な構成で部品点数やコストの削減、及び装置の小型化を図るとともに、安定した再生書き込み動作を行うことのできる光ディスク装置およびディスクチェンジャー装置を提供する。【解決手段】  装置の本体に回転可能に支持されターンテーブルが搭載された演奏シャーシと、演奏シャーシに形成された略Ｙ字状のカム溝と、略Ｔ字状のカム溝が形成されディスクの保持部に動力を伝達する駆動レバーと、本体に回転可能に支持され演奏シャーシ及び駆動レバーのカム溝に駆動軸を介して係合する回動レバーとを備え、回動レバーの回転に伴って、演奏シャーシの回動と、演奏シャーシの回動に共働してディスク保持を行う駆動レバーの移動とを一連の動作で従動させる構成を備えた。【選択図】  図１
2006202406.tif 000002
【特許請求の範囲】
【請求項１】
本体と、
ディスクをターンテーブル上に解除可能に保持するクランプ機構と、
前記本体に回転可能に支持され前記ターンテーブルが搭載された演奏シャーシと、
前記演奏シャーシに形成された略Ｙ字状のカム溝と、
略Ｔ字状のカム溝が形成され前記ディスクの保持部に動力を伝達する駆動レバーと、
前記本体に回転可能に支持され前記演奏シャーシ及び前記駆動レバーの前記カム溝に駆動軸を介して係合する回動レバーとを備え、
前記回動レバーの回転に伴って、前記演奏シャーシの回動と、前記駆動レバーの移動とが一連の動作で従動される光ディスク装置。
【請求項２】
請求項１記載の光ディスク装置であって、
前記回動レバーの駆動軸が、前記駆動レバーの略Ｔ字状のカム溝と、前記演奏シャーシの略Ｙ字状のカム溝とに貫通して係合され、
前記回動レバーの回転に伴って、前記駆動軸を介して略Ｙ字状のカム溝を押圧して前記演奏シャーシがスイングされた後、前記演奏シャーシの姿勢を保持させたまま前記略Ｙ字状のカム溝を移動する前記駆動軸を介して略Ｔ字状のカム溝を押圧して前記駆動レバーが移動されることで、前記演奏シャーシと前記駆動レバーとが一連の動作で従動される光ディスク装置。
【請求項３】
請求項１又は２記載の光ディスク装置を備えるディスクチェンジャー装置。
【発明の詳細な説明】
【技術分野】
【０００１】
本発明はＣＤ（Compact Disc）やＤＶＤ（Digital Versatile Disc）等の光ディスク装置、及びディスクを選択的に記録／再生するディスクチェンジャー装置に関するものである。
【背景技術】
【０００２】
光ディスク装置およびディスクチェンジャー装置は、その設置箇所の多様化から、例えば車載用のように小型化が要望される場合がある。この種の公知の光ディスク装置およびディスクチェンジャー装置として、例えば図１３に示すように、ディスクチェンジャー装置９００の内部に複数の光ディスク９９０を収容し、光ディスクの再生時にはターンテーブル１１１や光ピックアップユニット９５０を設けた演奏部９３０を回動軸９３１を中心に回動させて再生する光ディスクの下側の再生位置に移動させて光ディスクをターンテーブル上に固定（クランプ）するものがある。
上記のようなディスクチェンジャー９００において、光ディスクをターンテーブル上にクランプするための構成として、図１４、図１５に示すものが知られている。
すなわち、演奏部９３０が再生位置に達し、ターンテーブル１１１にディスクが搭載されると、ディスクがターンテーブル１１１上に搭載されたことが感知し、ピックアップ駆動用モータ１２１が回転し、ギヤ１３１、１３２、１３３、１３４を介して、動力伝達レバー１４０を矢印１００ｂの方向へ移動させる。そして、動力伝達レバー１４０が矢印１００ｂの方向へ移動し、動力伝達レバー１４０の動力出力部１４２に設けられた出力ラック１４２ａがカム部材１１３を矢印１００ｃの方向に回転させる。この回転力をターンテーブルの嵌合部１１１ｃ内部に設けたバネなどの付勢力やカム溝などを利用して、突起部材１１２の突起部１１２ａを、ターンテーブル１１１の嵌合部１１１ｃから外部に突出させ、光ディスクをクランプする（例えば特許文献１参照）。  
【特許文献１】特開２００２−２８８９０９号公報
【発明の開示】
【発明が解決しようとする課題】
【０００３】
しかしながら、上記した従来の光ディスク装置９００においては、光ディスクを再生または再生を解除する際、演奏部の回動動作とクランプ機構の動作とに、それぞれ別の動力伝達機構により駆動力を伝達する構成であったため、部品点数が増加し、装置が大型化するという問題があった。また、それぞれ別の動力伝達機構による駆動構成であるため、駆動力発生のタイミングがズレてしまうことにより安定動作が妨げられる可能性があった。
【０００４】
本発明は、従来の問題を解決するためになされたもので、簡素な構成で部品点数やコストの削減、及び装置の小型化を図るとともに、演奏部のスイング動作とクランプ動作とのタイミングのズレがなくなり安定した再生書き込み動作を行うことのできる光ディスク装置およびディスクチェンジャー装置を提供することを目的とする。
【課題を解決するための手段】
【０００５】
本発明の光ディスク装置は、本体と、ディスクをターンテーブル上に解除可能に保持するクランプ機構と、前記本体に回転可能に支持され前記ターンテーブルが搭載された演奏シャーシと、前記演奏シャーシに形成された略Ｙ字状のカム溝と、略Ｔ字状のカム溝が形成され前記ディスクの保持部に動力を伝達する駆動レバーと、前記本体に回転可能に支持され前記演奏シャーシ及び前記駆動レバーの前記カム溝に駆動軸を介して係合する回動レバーとを備え、前記回動レバーの回転に伴って、前記演奏シャーシの回動と、前記駆動レバーの移動とが一連の動作で従動される構成を有している。
【０００６】
この構成により、ディスクを再生または再生を解除する際に、演奏シャーシに形成された略Ｙ字状のカム溝と、駆動レバーに形成された略Ｔ字状のカム溝によって、演奏シャーシを回動する駆動力を同時に駆動レバーにも伝達することが可能となる。これにより、一連の動作により、演奏シャーシの回動動作とクランプ機構によるディスクの保持、解除の動作を行うことができるようになる。
【０００７】
また、本発明の光ディスク装置は、前記回動レバーの駆動軸が、前記駆動レバーの略Ｔ字状のカム溝と、前記演奏シャーシの略Ｙ字状のカム溝とに貫通して係合され、前記回動レバーの回転に伴って、前記駆動軸を介して略Ｙ字状のカム溝を押圧して前記演奏シャーシがスイングされた後、前記演奏シャーシの姿勢を保持させたまま前記略Ｙ字状のカム溝を移動する前記駆動軸を介して略Ｔ字状のカム溝を押圧して前記駆動レバーが移動されることで、前記演奏シャーシと前記駆動レバーとが一連の動作で従動される構成を有している。
この構成により、回動レバーが回動されると、まず駆動軸を介して略Ｙ字状のカム溝部が押圧され、演奏シャーシがスイングされる。演奏シャーシのスイングが完了すると、今度はさらに回転される駆動軸が、略Ｙ字状のカム溝に形成されたカム溝部内を移動し、演奏シャーシの姿勢を保持させたまま、略Ｔ字状のカム溝を押圧して、駆動レバーをディスクの中心方向へ移動させることとなる。
【０００８】
さらに、本発明のディスクチェンジャー装置は、上述の光ディスク装置を備えた構成を有している。
この構成により、小型、低コストで精度の良い安定した再生書き込み動作を行うことができるディスクチェンジャー装置を得ることができる。
【発明の効果】
【０００９】
本発明は、回動レバーが回転することにより、演奏シャーシの回動とディスク保持が単駆動による一連の動作で行われる構成とすることにより、部品点数の削減及び装置の小型化を図るとともに、動作タイミングのズレをなくして安定した再生書き込み動作を行うことができる。
【発明を実施するための最良の形態】
【００１０】
以下、本発明の実施の形態の光ディスク装置およびディスクチェンジャー装置について、図面を用いて説明する。
本発明の第１の実施の形態の光ディスク装置を図１に示す。
図１には、本発明の実施の形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における開閉自在な蓋部１１ａを備えたディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００１１】
図２および図３には、カーオーディオ装置１に内蔵されている本発明の実施形態である光ディスク装置１０の、図１中II−II位置における断面図が示されている。
図２および図３に示すように、光ディスク装置１０は、矩形箱状の本体１３と、この本体１３内においてディスク１２を積層収納するための複数枚のトレイ１４と、本体１３内の所定高さ位置に固定された基台１５に設けられ所定のトレイ１４間を開閉する図示していないトレイ開閉手段と、基台１５に設けられている軸１６を中心に矢印Ａで示す方向に回動可能に支持された演奏部２０とを備えている。
【００１２】
演奏部２０は、軸１６を中心として回動する平板状の演奏シャーシ（以下、「サスシャーシ」と称す。）２１を有しており、このサスシャーシ２１にはディスク１２を保持して回転するクランプ機構３０を有している。なお、サスシャーシ２１には、クランプ機構３０に保持され回転するディスク１２にアクセスすべく、サスシャーシ２１に沿って往復移動可能に支持されているピックアップ２２と、このピックアップ２２を移動させる駆動モータ２３およびリードスクリュ２３ａとを備えている。なお、サスシャーシ２１の軸１６の近傍には、略Ｙ字状のカム溝２４が形成されており、回動レバー２５に植設された回動駆動軸２６が係合している。
【００１３】
次に、図４から図１２に基づいて、クランプ機構３０を詳細に説明する。
クランプ機構３０はサスシャーシ２１の先端に設けられディスク１２を保持して回転するターンテーブル３１を有しており、ディスク１２の記録面１２ａ（図７参照）が載置可能な載置部３２と、この載置部３２からディスク１２の中空部１２ｃ（図２参照）を通過してディスク１２のラベル面１２ｂ（図７参照）側に突出可能な略円筒状の突出部３３と、この突出部３３の接線方向に沿う支軸３４を支点として回動することにより突出部３３の周面における複数個所（ここでは、例えば３箇所）のチャック爪装着窓３７からラベル面１２ｂに係合するように突没可能な複数のチャック爪３５と、突出部３３の軸線に沿って移動することにより各チャック爪３５の基端部３５ａを押圧する押圧部３６ａ（図８参照）が設けられた押圧部材３６（図１０参照）とを備えている。
【００１４】
図５および図７に示すように、ターンテーブル３１と昇降部材４０との間には、昇降部材４０をバネ４３の付勢力に反して下降させるための昇降レバー４５Ｌ，４５Ｒが挿入可能に設けられている。昇降レバー４５Ｌ，４５Ｒは、サスシャーシ２１の先端部においてターンテーブル３１を挟んで対向する位置に一対設けられており、各々回動中心４６によりサスシャーシ２１に回動可能に設けられている。なお、昇降レバー４５Ｌ，４５Ｒの先端は、テーパ４５ａが設けられており、ターンテーブル３１と昇降部材４０との間に挿入して昇降部材４０を下降させるようになっている。
【００１５】
サスシャーシ２１の先端部下面には、左右の昇降レバー４５Ｌ，４５Ｒを連結する連結板４７が、ターンテーブル３１の中心と同軸を中心として回動可能に設けられており、左右両端部にはギヤ部４７Ｌ，４７Ｒが設けられている。このギヤ部４７Ｌ，４７Ｒは、各々左右の昇降レバー４５Ｌ，４５Ｒの下部外周面に設けられているギヤ部４８Ｌ，４８Ｒに係合している。
一方、サスシャーシ２１の上面には駆動レバー４９が長手方向に沿って移動可能に設けられており、ターンテーブル３１方向側の先端にはカム溝４９ａ（図４，図５，図７，図１１参照）が設けられていて、連結板４７に設けられている駆動軸４７ａに移動自在に嵌入している。
また、他端には、略Ｔ字状のカム溝４９ｂ（図４，図１１参照）が形成されており、回動レバー２５に植設された回動駆動軸２６がサスシャーシ２１上の略Ｙ字状のカム溝２４とともに係合している。
【００１６】
図６および図８に示すように、ターンテーブル３１の中心には回転中心方向に筒部３８が設けられており、この筒部３８の内部には中心軸貫通穴３８ａが貫通して設けられている。この中心軸貫通穴３８ａには、回転駆動手段としての回転モータ３９の回転軸３９ａが嵌着されており、回転モータ３９によりターンテーブル３１が回転駆動されるようになっている。
【００１７】
また、ターンテーブル３１の筒部３８には、載置部３２と垂直な方向（図面の上下方向）に摺動可能に設置された昇降部材４０が外嵌されており、この昇降部材４０と回転モータ３９の上面３９ｂとの間には昇降部材４０を上方に付勢するクランプバネ４３が設けられている。ターンテーブル３１の突出部３３側面には、周方向に等間隔（例えば中心角度１２０度）でチャック爪装着窓３７が設けられており、チャック爪３５が出没自在に設けられている。
【００１８】
図９に示すように、チャック爪３５の下部には支軸３４が設けられており、この支軸３４の近傍には下方に突出する基端部３５ａが設けられている。チャック爪３５の本体中央内部には、段付き溝部３５ｂが形成されている。
【００１９】
また、図５および図１０に示すように、昇降部材４０はその中央に内壁４１ａと外壁４１ｂからなる二重壁構造の円筒部４１が一体的に形成されており、内壁４１ａの内側にはターンテーブル３１の筒部３８に外嵌する貫通穴部４２が形成されている。また、内壁４１ａと外壁４１ｂとの間には、クランプバネ４３を保持するための保持溝４１ｃが形成されており、円筒部４１の最外周には、先端に係止部４４ａを持ち下端部に屈曲部４４ｂ（図１０参照）を有する収納突起４４が、チャック爪３５の設置個所に対応して設けられている。収納突起４４の係止部４４ａは、昇降部材４０が下降する際にチャック爪３５の段付き溝部３５ｂを係止して、チャック爪３５を支軸３４回りに回動させてチャック爪装着窓３７の内側へ引き込むようになっている。
【００２０】
図１０に示すように、収納突起４４の左右近傍には、昇降部材４０の上昇に伴ってチャック爪３５の基端部３５ａを押圧し、チャック爪３５を支軸３４周りに回動させて、チャック爪装着窓３７からチャック爪３５を突出させる押圧部材３６が設けられている。
【００２１】
また、連結板４７の一端には、付勢バネ５０の動作端５１ａが係合する溝部４７ｂが形成されており、図７（Ｃ）に示すように、付勢バネ５０の動作端５１ａとは反対側の固定端５１ｂがサスシャーシ２１に一体に形成された壁部２１ａの貫通穴に係合している。これにより、付勢バネ５０の弾性力が作用し、連結板４７は常に時計方向へと付勢されている。
【００２２】
図１１に示すように、駆動レバー４９は、サスシャーシ２１の長手方向（図４の左右方向）に沿う長尺部材で形成され、ターンテーブル３１方向側の一端にカム溝４９ａが形成され、他端に略Ｔ字状のカム溝４９ｂが形成されている。図４に示すように、カム溝４９ａ内には、連結板４７の駆動軸４７ａが係合している。連結板４７は、駆動レバー４９のカム溝４９ａに係合した駆動軸４７ａを介して図４の時計方向へ回動される。
【００２３】
一方、駆動レバー４９のカム溝４９ｂは、回動レバー２５に植設された回動駆動軸２６に係合している。この回動駆動軸２６は、サスシャーシ２１上に形成されたカム溝２４にも同時に係合している。つまり、下側から回動レバー２５、駆動レバー４９、サスシャーシ２１の順で積層された部材の略Ｔ字状のカム溝４９ｂ、略Ｙ字状のカム溝２４に、回動駆動軸２６が下側から貫通して係合されている。
【００２４】
このような係合構造とすることで、回動レバー２５は、回動駆動軸２６を介して、サスシャーシ２１のスイングと、駆動レバー４９の図４中Ｐ方向への移動を共に可能としている。すなわち、回動レバー２５が回動されると、まず回動駆動軸２６が回動レバー２５に押圧されながらカム溝部２４に沿って移動することで、サスシャーシ２１がスイングされる。演奏部２０のスイングが完了すると、今度はさらに回転される回動駆動軸２６が、カム溝２４の長溝に形成されたカム溝部２４ａ内を移動し、サスシャーシ２１の姿勢を保持させたまま、カム溝４９ｂを押圧して、駆動レバー４９をディスク１２の中心方向（図４中Ｐ方向）へ移動されるようにしている。これにより、回動レバー２５の一連の動作によりサスシャーシ２１の回動およびディスク保持動作を行うことができるようになっている。
【００２５】
図１２に示すように、サスシャーシ２１の軸１６の近傍には上記した略Ｙ字状のカム溝２４が形成され、カム溝２４は２つに分かれるＹ字の一方が短溝に形成され、他方が長溝（カム溝部２４ａ）に形成される。カム溝２４は、回動レバー２５の回動駆動軸２６を、カム溝部２４ａ内に沿って移動させることで、スイングの完了したサスシャーシ２１の姿勢を保持させたまま、駆動レバー４９の図４中Ｐ方向へ移動の移動を可能としている。
【００２６】
以上のように構成された光ディスク装置１０におけるディスク１２の再生動作について説明する。
まず、トレイ開脚手段によって所定のトレイ１４間を開く。次に、図示せぬ駆動源により回動レバー２５を図２の矢印Ａ方向に回動させることにより、サスシャーシ２１上に形成されたカム溝２４と回動駆動軸２６により、サスシャーシ２１を図２に示す待機位置から図３に示す再生位置まで軸１６を中心に矢印Ａ方向に回動させる。
【００２７】
これにより、サスシャーシ２１を所定のトレイ１４間に挿入する。さらに駆動レバー４９をディスク中心方向へ移動させることで図３に示すような再生可能状態となり、前述したクランプ機構３０によりディスク１２を保持する。ディスク１２を回転させるとともにピックアップ２２をサスシャーシ２１に沿って移動させながら、ディスク１２に記録されている情報を再生する。
【００２８】
ここで、複数のチャック爪３５はターンテーブル３１にディスク１２が搭載される前、チャック爪装着窓３７の内側に格納されている。この状態でディスク１２がターンテーブル３１の載置部３２に搭載されると、図示せぬ駆動手設により、回動レバー２５をさらに回動させる。すると、回動駆動軸２６と駆動レバー４９に形成されたカム溝４９ｂにより、駆動レバー４９がディスク１２の中心方向（図４中Ｐ方向）へ移動を開始する。
【００２９】
このとき、サスシャーシ２１上のカム溝２４内においては、回動駆動軸２６は回動レバー２５の軌道上に形成されたカム溝部２４ａ（図１２参照）を通過しているため、サスシャーシ２１は姿勢を保ったまま移動することはなく、ディスク保持動作に必要な、駆動レバー４９のみの移動が可能となり、回動レバー２５の一連の動作によりサスシャーシ２１の回動およびディスク保持動作を行うことができる。
【００３０】
これにより、連結板４７の駆動軸４７ａが駆動レバー４９のカム溝４９ａの端面に当接して、連結板４７を時計方向へ回動させ、連結板４７のギヤ部４７Ｌ，４７Ｒと昇降レバー４５Ｌ，４５Ｒのギヤ部４８Ｌ，４８Ｒにより動力が伝達され、両昇降レバー４５Ｌ，４５Ｒをターンテーブル３１の中心から離れる方向（図５（Ａ）中矢印Ｓ方向）へ回転させる。これにより、両昇降レバー４５Ｌ，４５Ｒをターンテーブル３１と昇降部材４０との間から離脱させ、昇降部材４０はバネ４３の付勢力により上昇する。
【００３１】
このとき、図６に示すように、昇降部材４０の上昇に伴って押圧部材３６（図１０参照）の押圧部３６ａ（図８参照）が、複数のチャック爪３５の基端部３５ａに当接して押し上げるので、複数のチャック爪３５は支軸３４を中心として図６中矢印Ｘ１方向に回転して、チャック爪装着窓３７から突出して、ディスク１２を把持することができる（図８参照）。
【００３２】
ここで、昇降レバー４５Ｌ，４５Ｒを回動させる連結板４７は予め付勢バネ５０により常に連結板４７が時計方向に回動する方向に付勢されており、昇降部材４０は、昇降レバー４５Ｌ，４５Ｒの動作と連動しながら、先端のテーパ４５ａに沿ってスムーズに上昇するため、昇降部材４０と昇降レバー４５Ｌ，４５Ｒとの間の接触摩擦力による急激な負荷変動を抑制され、チャック爪３５とディスク１２の急激な接触を回避することができ、ディスク１２の保持の際の騒音を低減することができる。
【００３３】
一方、図７および図８に示すディスク保持状態からディスク１２を解除する場合、回動レバー２５が図３の矢印Ａ方向に回動を開始する。これにより、まず駆動レバー４９上に形成された図４に示すカム溝４９ｂと回動駆動軸２６により、駆動レバー４９をターンテーブル３１から離れる方向（図４中Ｑ方向））へ移動させる。これにより駆動レバー４９の先端に設けられたカム溝部４９ａと連結板４７の駆動軸４７ａの作用により、連結板４７は図７（Ａ）中の反時計方向へ回転し、連結板４７のギヤ部４７Ｌ，４７Ｒ、及び昇降レバー４５のギヤ部４５Ｌ，４５Ｒを介して昇降レバー４５Ｌ，４５Ｒをターンテーブル３１の中心方向（図７（Ａ）中矢印Ｒ方向）に向かってそれぞれ回転させる。
【００３４】
この回転動作により、昇降レバー４５Ｌ，４５Ｒは昇降部材４０とターンテーブル３１の間に割り込み、バネ４３の付勢力に反して昇降部材４０を回転モータ３９側（図８において下方）へ移動させる。このとき、昇降部材４０の押圧部３６ａは、チャック爪３５の基端部３５ａから離反するとともに、昇降部材４０の収納突起４４の係止部４４ａがチャック爪３５の背面に設けられた段付き溝部３５ｂと係合するため、チャック爪３５は支軸３４を回転支点として図８中矢印Ｘ２方向に回動する。これにより、チャック爪３５は、チャック爪装着窓３７の内部に収納され、ディスク１２の保持は解除される。さらに、回動レバー４９が回動を続けることで、サスシャーシ２１上に形成されたカム溝４９ｂにより、サスシャーシ２１は回動し、図５の状態に戻ることができる。
【００３５】
このような本発明の実施の形態の光ディスク装置１０によれば、サスシャーシ２１上に形成された略Ｙ字状のカム溝２４と、駆動レバー４９上に形成された略Ｔ字状のカム溝４９ｂにより、回動レバー２５の回動駆動軸２６を介してサスシャーシ２１を回動する駆動力を、回動レバー２５の一連の動作で駆動レバーにも伝達することができるため、サスシャーシ２１の回動動作とクランプ機構に３０よるディスクの保持、解除の動作が可能となり、部品点数の削減及び装置の小型化を図るとともに動作タイミングのズレをなくし安定した再生書き込み動作を行うことができる。
【００３６】
また、本発明の実施の形態の光ディスク装置１０によれば、昇降レバー４５Ｌ，４５Ｒを回動させる連結板４７が、付勢バネ５０により常にディスク１２を保持する方向に付勢するよう構成することにより、チャック爪３５とディスク１２の急激な接触を回避することができ、ディスク保持の際の騒音を低減することができる。さらに、連結板４７と一対の昇降レバー４５Ｌ，４５Ｒはそれぞれギヤ部４７Ｌ，４７Ｒ，４８Ｌ，４８Ｒを介して係合しているので、昇降レバー４５Ｌ，４５Ｒの動作するタイミングズレを防止することができる。
【００３７】
なお、本発明は、前述したような複数枚のディスク１２を積層収容し、選択的にディスク１２の再生を行う光ディスク装置１０に限らず、ディスク１２を１枚ずつ挿入して再生するタイプの光ディスク装置にも同様に適用することができる。
【００３８】
以上、本発明の実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００３９】
以上のように、本発明に係る光ディスク装置は、サスシャーシ上に形成された略Ｙ字状のカム溝部と駆動レバー上に形成された略Ｔ字状のカム溝部を回動レバーの回動駆動軸を介して回動させるよう構成することにより、サスシャーシを回動する駆動力を、回動レバーの一連の動作で駆動レバーにも伝達することができ、サスシャーシの回動動作とクランプ機構によるディスクの保持、解除の動作が可能となり、部品点数の削減及び装置の小型化を図るとともに動作タイミングのズレをなくし安定した再生書き込み動作を行うことができるという効果を有し、ＣＤやＤＶＤ等の光ディスク装置に係わり、特に、ディスクのセンターホールをターンテーブル上に保持する光ディスク装置等として有用である。
【図面の簡単な説明】
【００４０】
【図１】本発明の実施の形態における光ディスク装置を内蔵したカーオーディオ装置を示す全体斜視図
【図２】本発明の実施の形態における光ディスク装置の図１中II−II位置から見た本発明にかかる光ディスク装置の待機状態を示す平面図
【図３】本発明の実施の形態における光ディスク装置の図１中II−II位置から見た本発明にかかる光ディスク装置の再生状態を示す平面図
【図４】（Ａ）本発明の実施の形態における光ディスク装置の演奏部の平面図  （Ｂ）本発明の実施の形態における光ディスク装置の演奏部の正面図
【図５】（Ａ）本発明の実施の形態における光ディスク装置のクランプ機構の平面図  （Ｂ）本発明の実施の形態における光ディスク装置の図５（Ａ）中Ｂ−Ｂ位置から見たクランプ機構の断面図
【図６】本発明の実施の形態における光ディスク装置のクランプ機構の要部拡大断面図
【図７】（Ａ）本発明の実施の形態における光ディスク装置のクランプ機構の平面図  （Ｂ）は、（Ａ）中Ｂ−Ｂ位置におけるクランプ機構の断面図  （Ｃ）図７（Ａ）の付勢バネ５０付近の拡大図
【図８】本発明の実施の形態における光ディスク装置のクランプ機構の要部拡大断面図
【図９】（Ａ）本発明の実施の形態における光ディスク装置のクランプ機構の突起部の平面図  （Ｂ）本発明の実施の形態における光ディスク装置の図９（Ａ）中Ｂ方向から見た突起部の側面図  （Ｃ）本発明の実施の形態における光ディスク装置の図９（Ａ）中Ｃ−Ｃ位置から見た突起部の断面図
【図１０】（Ａ）本発明の実施の形態における光ディスク装置のクランプ機構の昇降部材の側面図  （Ｂ）本発明の実施の形態における光ディスク装置のクランプ機構の昇降部材の断面図
【図１１】本発明の実施の形態における光ディスク装置の駆動レバーの平面図
【図１２】本発明の実施の形態における光ディスク装置のサスシャーシのカム溝部拡大図
【図１３】従来の光ディスク装置を示す平面図
【図１４】従来の光ディスク装置の演奏部を示す平面図
【図１５】（Ａ）従来の光ディスク装置のクランプ機構の平面図  （Ｂ）従来の光ディスク装置のクランプ機構の図１５中Ｂ−Ｂから見た断面図
【符号の説明】
【００４１】
１０  光ディスク装置
１２  デイスク
１２ａ  記録面
１２ｂ  ラベル面
１２ｃ  中空部
１３  本体
２０  演奏部
２１  演奏シャーシ（サスシャーシ）
２４  カム溝
２４ａ  カム溝部
２５  回動レバー
２６  回動駆動軸
３１  ターンテーブル
３５  チャック爪
４９  駆動レバー
【図１】
2006202406.tif 000003
【図２】
2006202406.tif 000004
【図３】
2006202406.tif 000005
【図４】
2006202406.tif 000006
【図５】
2006202406.tif 000007
【図６】
2006202406.tif 000008
【図７】
2006202406.tif 000009
【図８】
2006202406.tif 000010
【図９】
2006202406.tif 000011
【図１０】
2006202406.tif 000012
【図１１】
2006202406.tif 000013
【図１２】
2006202406.tif 000014
【図１３】
2006202406.tif 000015
【図１４】
2006202406.tif 000016
【図１５】
2006202406.tif 000017